(57)【要約】【課題】複雑な形状の光ケーブルやバンドルであっても、束巻きや梱包が容易で、荷崩れしにくい光ケーブル巻回体、光ケーブル梱包体、光ケーブルの巻回方法及び光ケーブルの梱包方法を提供する。【解決手段】光ケーブル４を巻回して、光ケーブル４が外周部に配された部分４ａ，４ｃと、その中央部で光ケーブルが交差した部分４ｂを有し、外周部に配された部分は、中央部で光ケーブルが交差した部分４ｃの光ケーブル長手方向両側が、外周部に配された部分と合流する、２つの合流部４ｃと、中央部で光ケーブルが交差した部分４ｃを挟んで対向する両側において、交差した部分４ｃから離れてそれぞれ延在する、２つの延在部４ａを有する。【選択図】図１
2013184795.tif 000002
【特許請求の範囲】
【請求項１】
光ケーブルを巻回して、前記光ケーブルが外周部に配された部分と、その中央部で前記光ケーブルが交差した部分を有し、
前記外周部に配された部分は、
前記中央部で前記光ケーブルが交差した部分の光ケーブル長手方向両側が、前記外周部に配された部分と合流する、第１合流部及び第２合流部と、
前記中央部で前記光ケーブルが交差した部分を挟んで対向する両側において、前記交差した部分から離れてそれぞれ延在する、第１延在部及び第２延在部を有する、
光ケーブル巻回体。
【請求項２】
前記光ケーブルが、
前記第１延在部から前記第１合流部を経て前記中央部を通り、
次いで、前記中央部から前記第２合流部を経て前記第２延在部を通り、
次いで、前記第２延在部から前記第１合流部を経て前記中央部を通り、
次いで、前記中央部から前記第２合流部を経て前記第１延在部を通る、
順序で巻回され、
前記第１延在部から前記第１合流部を経て前記中央部を通る部分の巻回方向と、前記中央部から前記第２合流部を経て前記第２延在部を通る部分の巻回方向が互いに逆であり、
前記中央部から前記第２合流部を経て前記第２延在部を通る部分の巻回方向と、前記第２延在部から前記第１合流部を経て前記中央部を通る部分の巻回方向が互いに同じであり、
前記第２延在部から前記第１合流部を経て前記中央部を通る部分の巻回方向と、前記中央部から前記第２合流部を経て前記第１延在部を通る部分の巻回方向が互いに逆であり、
前記中央部から前記第２合流部を経て前記第１延在部を通る部分の巻回方向と、前記第１延在部から前記第１合流部を経て前記中央部を通る部分の巻回方向が互いに同じであり、
前記第１延在部から前記第１合流部を経て前記中央部を通る前記光ケーブルと、前記第２延在部から前記第１合流部を経て前記中央部を通る前記光ケーブルが、前記第１合流部を反対向きに通過し、かつ、前記中央部で互いに交差し、
前記中央部から前記第２合流部を経て前記第２延在部を通る前記光ケーブルと、前記中央部から前記第２合流部を経て前記第１延在部を通る前記光ケーブルが、前記第２合流部を反対向きに通過する、
請求項１に記載の光ケーブル巻回体。
【請求項３】
光ケーブルを巻回して、前記光ケーブルが外周部に配された部分と、その中央部で前記光ケーブルが交差した部分を有し、
前記外周部に配された部分は、
前記中央部で前記光ケーブルが交差した部分の光ケーブル長手方向両側が、前記外周部に配された部分と合流する、第１合流部及び第２合流部と、
前記中央部で前記光ケーブルが交差した部分を挟んで対向する両側において、前記交差した部分から離れてそれぞれ延在する、第１延在部及び第２延在部を有する、
光ケーブル巻回体と、
前記光ケーブルを結束する結束部材を備える、
光ケーブル梱包体。
【請求項４】
少なくとも前記結束部材を、前記中央部で前記光ケーブルが交差した部分に有する、
請求項３に記載の光ケーブル梱包体。
【請求項５】
前記結束部材を、前記第１合流部、前記第２合流部、前記第１延在部及び前記第２延在部の少なくとも１つに有する、
請求項３に記載の光ケーブル梱包体。
【請求項６】
光ケーブルを巻回して、前記光ケーブルが外周部に配された部分と、その中央部で前記光ケーブルが交差した部分を設け、
前記外周部に配された部分に、
前記中央部で前記光ケーブルが交差した部分の光ケーブル長手方向両側が、前記外周部に配された部分と合流する、第１合流部及び第２合流部と、
前記中央部で前記光ケーブルが交差した部分を挟んで対向する両側において、前記交差した部分から離れてそれぞれ延在する、第１延在部及び第２延在部を設ける、
光ケーブルの巻回方法。
【請求項７】
光ケーブルを展開して、前記光ケーブルを湾曲させた部分と、前記光ケーブルを延在させた部分を交互に配した後、前記光ケーブルを延在させた部分を中心軸にして前記光ケーブルを湾曲させた部分を回転させ、前記光ケーブルを湾曲させた部分同士を互いに重ね合わせ、前記光ケーブルを順に積層する、
請求項６に記載の光ケーブルの巻回方法。
【請求項８】
前記光ケーブルを湾曲させた部分を積層して、前記中央部で前記光ケーブルが交差した部分と、前記第１合流部及び前記第２合流部を形成し、
前記光ケーブルを延在させた部分を積層して、前記第１延在部及び前記第２延在部を形成する、
請求項７に記載の光ケーブルの巻回方法。
【請求項９】
前記光ケーブルが、
前記第１延在部から前記第１合流部を経て前記中央部を通り、
次いで、前記中央部から前記第２合流部を経て前記第２延在部を通り、
次いで、前記第２延在部から前記第１合流部を経て前記中央部を通り、
次いで、前記中央部から前記第２合流部を経て前記第１延在部を通る、
順序で巻回され、
前記第１延在部から前記第１合流部を経て前記中央部を通る部分の巻回方向と、前記中央部から前記第２合流部を経て前記第２延在部を通る部分の巻回方向が互いに逆であり、
前記中央部から前記第２合流部を経て前記第２延在部を通る部分の巻回方向と、前記第２延在部から前記第１合流部を経て前記中央部を通る部分の巻回方向が互いに同じであり、
前記第２延在部から前記第１合流部を経て前記中央部を通る部分の巻回方向と、前記中央部から前記第２合流部を経て前記第１延在部を通る部分の巻回方向が互いに逆であり、
前記中央部から前記第２合流部を経て前記第１延在部を通る部分の巻回方向と、前記第１延在部から前記第１合流部を経て前記中央部を通る部分の巻回方向が互いに同じであり、
前記第１延在部から前記第１合流部を経て前記中央部を通る前記光ケーブルと、前記第２延在部から前記第１合流部を経て前記中央部を通る前記光ケーブルが、前記第１合流部を反対向きに通過し、かつ、前記中央部で互いに交差し、
前記中央部から前記第２合流部を経て前記第２延在部を通る前記光ケーブルと、前記中央部から前記第２合流部を経て前記第１延在部を通る前記光ケーブルが、前記第２合流部を反対向きに通過する、
請求項６に記載の光ケーブルの巻回方法。
【請求項１０】
光ケーブルを巻回して、前記光ケーブルが外周部に配された部分と、その中央部で前記光ケーブルが交差した部分を設け、
前記外周部に配された部分に、
前記中央部で前記光ケーブルが交差した部分の光ケーブル長手方向両側が、前記外周部に配された部分と合流する、第１合流部及び第２合流部と、
前記中央部で前記光ケーブルが交差した部分を挟んで対向する両側において、前記交差した部分から離れてそれぞれ延在する、第１延在部及び第２延在部を設けた後、
前記光ケーブルを結束部材で結束する、
光ケーブルの梱包方法。
【請求項１１】
少なくとも前記結束部材を、前記中央部で前記光ケーブルが交差した部分に設ける、
請求項１０に記載の光ケーブルの梱包方法。
【請求項１２】
前記結束部材を、前記第１合流部、前記第２合流部、前記第１延在部及び前記第２延在部の少なくとも１つに有する、
請求項１０に記載の光ケーブルの梱包方法。
【発明の詳細な説明】
【技術分野】
【０００１】
本発明は、光ケーブル巻回体、光ケーブル梱包体、光ケーブルの巻回方法及び光ケーブルの梱包方法に関する。
【背景技術】
【０００２】
従来、長尺の光ケーブルを運送、収納、保管等に適した形態に梱包する方法としては、ドラム等に巻きつける方法や、マンドレルで束巻きにしたのち紐等で縛る方法が用いられている。また、巻き癖を低減する方法としては、光ケーブルを８の字状に巻き取る方法が知られている（例えば特許文献１，２を参照）。
【先行技術文献】
【特許文献】
【０００３】
【特許文献１】特開昭５８−５４８０６号公報
【特許文献２】特開平４−５７００２号公報
【発明の概要】
【発明が解決しようとする課題】
【０００４】
光ケーブルが、複数本の光ケーブルをケーブル長手方向に揃えたバンドルであったり、ケーブル長手方向の途中から分岐する分岐部を有する複雑な形状であったりする場合、ドラムやマンドレルに巻きつけても、光ケーブルを巻いた厚さが均一になりにくく、コンパクトに梱包することが難しい。全長が数メートル程度またはそれ以上ともなると規模が大きく、梱包に手間がかかる。また、マンドレルを用いて束巻きにした場合、マンドレルを抜いた後に巻き形状が崩れやすく、荷崩れを防ぐためには緩衝材や複雑な形状の固定部材が必要になる。
【０００５】
本発明は、上記事情に鑑みてなされたものであり、複雑な形状の光ケーブルやバンドルであっても、束巻きや梱包が容易で、荷崩れしにくい光ケーブル巻回体、光ケーブル梱包体、光ケーブルの巻回方法及び光ケーブルの梱包方法を提供することを課題とする。
【課題を解決するための手段】
【０００６】
前記課題を解決するため、本発明は、光ケーブルを巻回して、前記光ケーブルが外周部に配された部分と、その中央部で前記光ケーブルが交差した部分を有し、前記外周部に配された部分は、前記中央部で前記光ケーブルが交差した部分の光ケーブル長手方向両側が、前記外周部に配された部分と合流する、第１合流部及び第２合流部と、前記中央部で前記光ケーブルが交差した部分を挟んで対向する両側において、前記交差した部分から離れてそれぞれ延在する、第１延在部及び第２延在部を有する、光ケーブル巻回体を提供する。
前記光ケーブルが、前記第１延在部から前記第１合流部を経て前記中央部を通り、次いで、前記中央部から前記第２合流部を経て前記第２延在部を通り、次いで、前記第２延在部から前記第１合流部を経て前記中央部を通り、次いで、前記中央部から前記第２合流部を経て前記第１延在部を通る、順序で巻回され、前記第１延在部から前記第１合流部を経て前記中央部を通る部分の巻回方向と、前記中央部から前記第２合流部を経て前記第２延在部を通る部分の巻回方向が互いに逆であり、前記中央部から前記第２合流部を経て前記第２延在部を通る部分の巻回方向と、前記第２延在部から前記第１合流部を経て前記中央部を通る部分の巻回方向が互いに同じであり、前記第２延在部から前記第１合流部を経て前記中央部を通る部分の巻回方向と、前記中央部から前記第２合流部を経て前記第１延在部を通る部分の巻回方向が互いに逆であり、前記中央部から前記第２合流部を経て前記第１延在部を通る部分の巻回方向と、前記第１延在部から前記第１合流部を経て前記中央部を通る部分の巻回方向が互いに同じであり、前記第１延在部から前記第１合流部を経て前記中央部を通る前記光ケーブルと、前記第２延在部から前記第１合流部を経て前記中央部を通る前記光ケーブルが、前記第１合流部を反対向きに通過し、かつ、前記中央部で互いに交差し、前記中央部から前記第２合流部を経て前記第２延在部を通る前記光ケーブルと、前記中央部から前記第２合流部を経て前記第１延在部を通る前記光ケーブルが、前記第２合流部を反対向きに通過する、ことが好ましい。
【０００７】
また、本発明は、光ケーブルを巻回して、前記光ケーブルが外周部に配された部分と、その中央部で前記光ケーブルが交差した部分を有し、前記外周部に配された部分は、前記中央部で前記光ケーブルが交差した部分の光ケーブル長手方向両側が、前記外周部に配された部分と合流する、第１合流部及び第２合流部と、前記中央部で前記光ケーブルが交差した部分を挟んで対向する両側において、前記交差した部分から離れてそれぞれ延在する、第１延在部及び第２延在部を有する、光ケーブル巻回体と、前記光ケーブルを結束する結束部材を備える、光ケーブル梱包体を提供する。
少なくとも前記結束部材を、前記中央部で前記光ケーブルが交差した部分に有する、ことが好ましい。
前記結束部材を、前記第１合流部、前記第２合流部、前記第１延在部及び前記第２延在部の少なくとも１つに有する、ことが好ましい。
【０００８】
また、本発明は、光ケーブルを巻回して、前記光ケーブルが外周部に配された部分と、その中央部で前記光ケーブルが交差した部分を設け、前記外周部に配された部分に、前記中央部で前記光ケーブルが交差した部分の光ケーブル長手方向両側が、前記外周部に配された部分と合流する、第１合流部及び第２合流部と、前記中央部で前記光ケーブルが交差した部分を挟んで対向する両側において、前記交差した部分から離れてそれぞれ延在する、第１延在部及び第２延在部を設ける、光ケーブルの巻回方法を提供する。
光ケーブルを展開して、前記光ケーブルを湾曲させた部分と、前記光ケーブルを延在させた部分を交互に配した後、前記光ケーブルを延在させた部分を中心軸にして前記光ケーブルを湾曲させた部分を回転させ、前記光ケーブルを湾曲させた部分同士を互いに重ね合わせ、前記光ケーブルを順に積層する、ことが好ましい。
前記光ケーブルを湾曲させた部分を積層して、前記中央部で前記光ケーブルが交差した部分と、前記第１合流部及び前記第２合流部を形成し、前記光ケーブルを延在させた部分を積層して、前記第１延在部及び前記第２延在部を形成する、ことが好ましい。
前記光ケーブルが、前記第１延在部から前記第１合流部を経て前記中央部を通り、次いで、前記中央部から前記第２合流部を経て前記第２延在部を通り、次いで、前記第２延在部から前記第１合流部を経て前記中央部を通り、次いで、前記中央部から前記第２合流部を経て前記第１延在部を通る、順序で巻回され、前記第１延在部から前記第１合流部を経て前記中央部を通る部分の巻回方向と、前記中央部から前記第２合流部を経て前記第２延在部を通る部分の巻回方向が互いに逆であり、前記中央部から前記第２合流部を経て前記第２延在部を通る部分の巻回方向と、前記第２延在部から前記第１合流部を経て前記中央部を通る部分の巻回方向が互いに同じであり、前記第２延在部から前記第１合流部を経て前記中央部を通る部分の巻回方向と、前記中央部から前記第２合流部を経て前記第１延在部を通る部分の巻回方向が互いに逆であり、前記中央部から前記第２合流部を経て前記第１延在部を通る部分の巻回方向と、前記第１延在部から前記第１合流部を経て前記中央部を通る部分の巻回方向が互いに同じであり、前記第１延在部から前記第１合流部を経て前記中央部を通る前記光ケーブルと、前記第２延在部から前記第１合流部を経て前記中央部を通る前記光ケーブルが、前記第１合流部を反対向きに通過し、かつ、前記中央部で互いに交差し、前記中央部から前記第２合流部を経て前記第２延在部を通る前記光ケーブルと、前記中央部から前記第２合流部を経て前記第１延在部を通る前記光ケーブルが、前記第２合流部を反対向きに通過する、ことが好ましい。
【０００９】
また、本発明は、光ケーブルを巻回して、前記光ケーブルが外周部に配された部分と、その中央部で前記光ケーブルが交差した部分を設け、前記外周部に配された部分に、前記中央部で前記光ケーブルが交差した部分の光ケーブル長手方向両側が、前記外周部に配された部分と合流する、第１合流部及び第２合流部と、前記中央部で前記光ケーブルが交差した部分を挟んで対向する両側において、前記交差した部分から離れてそれぞれ延在する、第１延在部及び第２延在部を設けた後、前記光ケーブルを結束部材で結束する、光ケーブルの梱包方法を提供する。
少なくとも前記結束部材を、前記中央部で前記光ケーブルが交差した部分に設ける、ことが好ましい。
前記結束部材を、前記第１合流部、前記第２合流部、前記第１延在部及び前記第２延在部の少なくとも１つに有する、ことが好ましい。
【発明の効果】
【００１０】
本発明によれば、外周部に巻く部分と中央部で交差させる部分を混在させることにより、複雑な形状の光ケーブルやバンドルであっても、束巻きや梱包が容易で、荷崩れしにくくなる。
【図面の簡単な説明】
【００１１】
【図１】本発明の光ケーブル巻回体を備えた光ケーブル梱包体を示す（ａ）平面図、及び（ｂ）斜視図である。
【図２】本発明の光ケーブル巻回体の（ａ）２周期分、及び（ｂ）４周期分を示す斜視図である。
【図３】本発明の光ケーブル巻回体を１層ごとに分離して示す分解斜視図である。
【図４】（ａ）〜（ｄ）は本発明の光ケーブルの巻回方法の第１形態例を示す平面図である。
【図５】（ａ）〜（ｆ）は本発明の光ケーブルの巻回方法の第２形態例を示す平面図である。
【図６】（ａ）〜（ｂ）は本発明の光ケーブルの巻回方法の第３形態例を示す（ａ）平面図及び、（ｂ）斜視図である。
【図７】光ファイババンドルの一例を示す部分斜視図である。
【図８】（ａ）は光ケーブル梱包体の一例を示す平面図、（ｂ）は（ａ）の底板を示す平面図である。
【図９】（ａ）は光ケーブル梱包体の一例を示す平面図、（ｂ）は（ａ）の断面図である。
【発明を実施するための形態】
【００１２】
以下、好適な実施の形態に基づき、図面を参照して本発明を説明する。
図１に、本発明の光ケーブル巻回体、及びこれを備えた光ケーブル梱包体の一例を示す。図１に示す光ケーブル巻回体１は、光ケーブル４を巻回して、光ケーブル４が外周部に配された部分４ａ，４ｃと、その中央部で光ケーブル４が交差した部分４ｂを有する。
以下、「光ケーブルが外周部に配された部分」を省略して「巻回体外周部」といい、「中央部で光ケーブルが交差した部分」を省略して「ケーブル交差部」という場合がある。
【００１３】
ここで、巻回体外周部４ａ，４ｃは、ケーブル交差部４ｂの光ケーブル長手方向両側が巻回体外周部と合流する２つの合流部４ｃと、ケーブル交差部４ｂを挟んで対向する両側においてケーブル交差部４ｂから離れてそれぞれ延在する２つの延在部４ａを有する。
【００１４】
図示例の光ケーブル巻回体１は、略長方形の巻回領域２０に収容可能な形状になっている。巻回領域２０は、互いに対向する第１の辺２１と第２の辺２２を長辺とし、さらに、第３の辺２３と第４の辺２４を短辺として有する。そして、２つの延在部４ａは、光ケーブルが第１の辺２１に沿って配された部分と、第２の辺２２に沿って配された部分を含み、２つの合流部４ｃは、第３の辺２３に沿って配された部分と、第４の辺２４に沿って配された部分を含む。
【００１５】
図１に示す光ケーブル梱包体２は、光ケーブル巻回体１の光ケーブル４を結束する結束部材３を備える。図示例において、結束部材３は、２つの延在部４ａの一方（第１延在部）を結束する第１の結束部材、２つの延在部４ａの他方（第２延在部）を結束する第２の結束部材、２つの合流部４ｃの一方（第１合流部）を結束する第３の結束部材、２つの合流部４ｃの他方（第２合流部）を結束する第４の結束部材、及び、ケーブル交差部４ｂを結束する第５の結束部材を備えている。第１の結束部材と、第２の結束部材は、ケーブル交差部４ｂを結束することなく、巻回体外周部４ａを結束している。第３の結束部材と、第４の結束部材は、巻回体外周部４ｃと、ケーブル交差部４ｂの両方を結束している。第５の結束部材は、巻回体外周部４ａ，４ｃを結束することなく、ケーブル交差部４ｂを結束している。
【００１６】
図２に、本形態例の光ケーブル巻回体における光ケーブルの巻回状態をより具体的に示す。この光ケーブル巻回体１９は、光ケーブル１０が、第１延在部１１から第１合流部１２を経て中央部１３を通り、次いで、中央部１３から第２合流部１４を経て第２延在部１５を通り、次いで、第２延在部１５から第１合流部１６を経て中央部１７を通り、次いで、中央部１７から第２合流部１８を経て第１延在部１１を通る順序で巻回され、符号１１〜１８で示す部分を１周期とし、この順で周期を繰り返した構造を有する。図２（ａ）は２周期分であり、図２（ｂ）は４周期分である。なお、光ケーブル巻回体は、１周期分で終わってもよく、３．５周期分などのように周期の途中で巻回を終えることもできる。また、図２（ａ）では、最下層の端部を第１延在部１１、最上層の端部を第２延在部１５としているが、延在部１１，１５を端部とする必要はなく、また、ケーブル両端が同じ側の延在部（第１延在部１１同士、あるいは第２延在部１５同士）に配されてもよい。
【００１７】
図３に各層を分解して示し、より詳しく説明すると、第１延在部１１から第１合流部１２を経て中央部１３を通る光ケーブルと、第２延在部１５から第１合流部１６を経て中央部１７を通る光ケーブルが、第１合流部１２，１６を反対向きに通過し、かつ、中央部１３，１７では互いに交差している。なお、中央部１３，１７が交差１９ａすることにより、図１のケーブル交差部４ｂが構成される。また、中央部１３から第２合流部１４を経て第２延在部１５を通る光ケーブルと、中央部１７から第２合流部１８を経て第１延在部１１を通る光ケーブルが、第２合流部１４，１８を反対向きに通過する。
また、第１延在部１１から第１合流部１２を経て中央部１３を通る部分は、図３の上方から見て反時計回りであるが、その次の中央部１３から第２合流部１４を経て第２延在部１５を通る部分は時計回りであり、中央部１３を通る前後で巻回方向が逆転している。同様に、第２延在部１５から第１合流部１６を経て中央部１７を通る部分は時計回りであるが、その次の中央部１７から第２合流部１８を経て第１延在部１１を通る部分は反時計回りであり、中央部１７を通る前後で巻回方向が逆転している。
すなわち、延在部１１，１５を通る前後では巻回方向は変化せず、中央部１３，１７を通る前後で巻回方向が逆転している。
【００１８】
本形態例の光ケーブル巻回体１９は、図３に示すように、光ケーブル１０がその長手方向に沿って順に積層されており、光ケーブル１０を引っ張ってループを縮めても結び目が生じることはない。また、光ケーブル１０が右回りに巻回されている部分と、左回りに巻回されている部分が比較的短い間隔で交互に設けられているため、光ケーブル１０をいずれの端から引っ張っても、端から引っ張るだけで、光ケーブル１０に捻りを生じることなく、光ケーブル巻回体１９を解くことができる。
【００１９】
図４に、本形態例の光ケーブル巻回体を製造するための光ケーブルの巻回方法の一例を示す。まず、図４（ａ）に示すように、光ケーブル３０を展開して、光ケーブル３０を湾曲させた部分３１，３２，３３，３４，３５，３６，３７と、光ケーブル３０を延在させた部分３１ａ，３２ａ，３３ａ，３４ａ，３５ａ，３６ａを交互に配する。以下、「光ケーブルを湾曲させた部分」を省略して「湾曲部」といい、「光ケーブルを延在させた部分」を省略して「延在部」という場合がある。一つの面４０の上で、光ケーブル巻回体を収容する巻回領域（図１や図３の符号２０）に対応する単位領域４１〜４７を複数設定し、これらの単位領域４１〜４７ごとに１つの湾曲部と１つの延在部を配置する。図示例では、第１〜第７の単位領域４１〜４７のそれぞれで光ケーブル３０を湾曲させた部分を、第１〜第７の湾曲部３１〜３７とする。また、各延在部を、それぞれ第１〜第６の延在部３１ａ〜３６ａとする。面４０は、例えば作業を行う机や床などの上面に仮想的に設けることができる。単位領域４１〜４７も作業者が仮想的に理解できれば特に表示は不要であるが、実際に区画を面４０上に表示することもできる。なお、湾曲部より延在部の数が多くてもよく（例えば光ケーブルの両端が延在部となる場合）、延在部より湾曲部の数が多くてもよく（例えば光ケーブルの両端が湾曲部となる場合）、湾曲部と延在部は同数でもよい（例えば光ケーブルの一端が湾曲部、他端が延在部となる場合）。
【００２０】
次に、図４（ｂ）に示すように、第１の延在部３１ａを中心にして第２の湾曲部３２を回転させ、第１の湾曲部３１の上に第２の湾曲部３２を積層する。このとき、同時に第２の延在部３２ａを中心にして第２の湾曲部３２と第３の湾曲部３３の間も回転し、第３の湾曲部３３の一部が第２の湾曲部３２の上に積層される。第４〜第７の湾曲部３４〜３７は移動されないが、第３の湾曲部３３は、湾曲が解ける方向に引き伸ばされる。
次に、図４（ｃ）に示すように、第１〜第２の湾曲部３１〜３２の上に第３の湾曲部３３を積層する。このとき、第４〜第７の湾曲部３４〜３７も合わせて平行移動させ、第３の湾曲部３３の湾曲が再形成されるように、その前後の部分（すなわち第２の湾曲部３２と第４の湾曲部３４）の間を縮めていく。第４の単位領域４４が第１の単位領域４１に接するまで、第４〜第７の湾曲部３４〜３７を移動させると、図４（ｄ）に示すように、第１〜第３の湾曲部３１〜３３が第１の単位領域４１上に積層される。
このように、図４（ｂ）〜（ｄ）の工程を経ることで、２つの湾曲部を第１の単位領域４１上に積層することができる。つまり、第３の湾曲部３３の上に第４の湾曲部３４を積層し、次いで、第４の湾曲部３４の上に第５の湾曲部３５を積層し、次いで、第５の湾曲部３５の上に第６の湾曲部３６を積層し、次いで、第６の湾曲部３６の上に第７の湾曲部３７を積層する。
【００２１】
図４の積層方法は、次のように一般化することができる。
偶数番目（第２ｎ）の湾曲部をその前（第２ｎ−１）の湾曲部の上に積層する場合は、図４（ｂ）に示すように、次（第２ｎ＋１）の湾曲部をその湾曲が解ける方向に引き伸ばすことにより、それ以降（第２ｎ＋２以降）の湾曲部を移動しないで済む。なお、このとき、第２ｎ＋２以降の湾曲部を、積層済み（第１〜第２ｎ−１）の湾曲部に近づく方向に平行移動させてもよい。このとき、第２ｎ−１の湾曲部と第２ｎの湾曲部の間の延在部が回転すると同時に、第２ｎの湾曲部と第２ｎ＋１の湾曲部の間の延在部が回転する結果として、第２ｎ−１の湾曲部の上に第２ｎの湾曲部が重なるとともに、第２ｎの湾曲部の上に第２ｎ＋１の湾曲部の一部が重なることになる。
また、奇数番目（第２ｎ＋１）の湾曲部をその前（第２ｎ）の湾曲部の上に積層する場合は、図４（ｃ）と（ｄ）に示すように、その次以降（第２ｎ＋２以降）の湾曲部も合わせて、積層済み（第１〜第２ｎ）の湾曲部に近づく方向に平行移動させる。このとき、各湾曲部の間の延在部を回転させる必要はない。
この積層方法によれば、第２ｎ＋２以降の湾曲部を移動させる回数や距離を低減することができるので、光ケーブルの長さ当たり重量が大きい場合でも、作業を軽減することが可能である。
【００２２】
図５に、本形態例の光ケーブル巻回体を製造するための光ケーブルの巻回方法の一例を示す。まず、図５（ａ）に示すように、光ケーブル３０を展開して、湾曲部３１，３２，３３，３４，３５，３６，３７と、延在部３１ａ，３２ａ，３３ａ，３４ａ，３５ａ，３６ａを交互に配する。このときの状態は、図４（ａ）と同様であるので、重複する説明は省略する。
【００２３】
次に、図５（ｂ）に示すように、第１の湾曲部３１と第２の湾曲部３２の間を上側に持ち上げ、図５（ｃ）に示すように、第１の湾曲部３１を第２の湾曲部３２の下側に重ね合わせる。このとき、主として第１の延在部３１ａを中心にして第１の湾曲部３１と第２の湾曲部３２が回転し、互いに重なり合う。同時に、第２の延在部３２ａを中心にして第２の湾曲部３２と第３の湾曲部３３の間が回転することがあってもよい。
次に、図５（ｄ）に示すように、第２の湾曲部３２と第３の湾曲部３３の間を下側に押し下げ、図５（ｅ）に示すように、第１〜第２の湾曲部３１〜３２を第３の湾曲部３３の上に重ね合わせる。このとき、主として第２の延在部３２ａを中心にして第２の湾曲部３２と第３の湾曲部３３が回転し、互いに重なり合う。同時に、第３の延在部３３ａを中心にして第３の湾曲部３３と第４の湾曲部３４の間が回転することがあってもよい。
このように、図５（ｆ）以降も、図５（ｂ）〜（ｅ）の工程を経ることで、湾曲部を２つずつ、後の湾曲部と重ね合わせる。つまり、第１〜第３の湾曲部３１〜３３を第４の湾曲部３４の下側に重ね合わせ、次いで、第１〜第４の湾曲部３１〜３４を第５の湾曲部３５の上に重ね合わせ、次いで、第１〜第５の湾曲部３１〜３５を第６の湾曲部３６の下側に重ね合わせ、次いで、第１〜第６の湾曲部３１〜３６を第７の湾曲部３７の上に重ね合わせる。
つまり、第ｎの湾曲部と第ｎ＋１の湾曲部の間の延在部を中心にして、上側か下側かに交互に曲げ、第１〜第ｎの湾曲部を第ｎ＋１の湾曲部に重ね合わせる動作を繰り返すことにより、すべての湾曲部を最後の単位領域（図５では第７の単位領域４７）に集めて積層することができる。
【００２４】
本発明の巻回方法は、本発明の光ケーブル巻回体が得られるものであれば、特に限定されるものではない。図４、図５に示すように複数の湾曲部から１つの湾曲部ごとに光ケーブルを順に積層する方法でもよいが、図６（ｂ）に示すように、複数の湾曲部を一度に積層する方法を採用することも可能である。各延在部３１ａ，３２ａ，３３ａ，３４ａ，３５ａを中心にして各延在部の両側の湾曲部３１，３２，３３，３４，３５，３６が互いに回転し、重なり合う。
光ファイバを巻回する工程の最初に光ケーブルを湾曲させるとき、図６（ａ）に示すように、単位領域４１〜４６の形状は平行四辺形など傾斜した辺を有してもよい。面４０上に設けられた単位領域４１〜４６を、光ケーブル巻回体の収容される巻回領域２０の第１の辺２１及び第２の辺２２（図３参照）に対応させるとき、単位領域４１〜４６は、第１の辺２１同士、又は第２の辺２２同士を共有して隣り合うことが好ましい。これにより、図６（ｂ）に示すように、第１の辺２１を共有する単位領域の間（第１の単位領域４１と第２の単位領域４２の間、第３の単位領域４３と第４の単位領域４４の間、及び第５の単位領域４５と第６の単位領域４６の間）では、さらに第２の辺２２を共有するように重ね合わせる。また、第２の辺２２を共有する単位領域の間（第２の単位領域４２と第３の単位領域４３の間、及び第４の単位領域４４と第５の単位領域４５の間）では、さらに第１の辺２１を共有するように重ね合わせる。これにより、図２〜図３に示すような光ケーブル巻回体１９を形成することができる。
【００２５】
図４〜６において、各湾曲部３１〜３７の間の延在部３１ａ〜３６ａは、図１では巻回体外周部の延在部４ａに対応し、図２〜３では第１延在部１１及び第２延在部１５に対応する。光ケーブル巻回体１９は、光ケーブル１０が第１延在部１１と第２延在部１５を有するので、各湾曲部３１〜３７の間に、延在部３１ａ〜３６ａが介在するように、光ケーブルを湾曲させると、各湾曲部３１〜３７を積層する際、延在部３１ａ〜３６ａを回転中心軸の目安として作業することができる。
また、各湾曲部３１〜３７が積層されることにより、各湾曲部３１〜３７の中間部が互いに交差することで、図１に示すケーブル交差部４ｂが形成される。
また、各湾曲部３１〜３７の両端部（延在部３１ａ〜３６ａ側の部分）が積層されることにより、図１に示す合流部４ｃが形成される。
【００２６】
本発明に適用される光ケーブルは、特に限定されるものではないが、屋内用、構内用、宅内用、引き込み用、屋外用などの各種が挙げられる。図７に示すように、複数の光ファイバケーブル５１を結束部材５４で結束する等により一体化したバンドル５０を上記光ケーブル１０，３０として用いることもできる。バンドル５０における単位ケーブル５１の本数は例えば数本から数十本であり、各単位ケーブル５１は、１本の光ファイバを内蔵した単芯ケーブル、あるいは複数本（例えば２芯、４芯、８芯、１２芯、１６芯、２４芯）の光ファイバを内蔵した多芯ケーブルとすることもできる。
【００２７】
バンドル５０は、一本又は複数本の単位ケーブル５１を側方へ引き出す等により構成した分岐部５２を有することができる。図示例では、分岐部５２の先端に光コネクタ等の部品５３が設けられている。図４に示すように、光ケーブル３０を湾曲、巻回させる際には、光ケーブル３０の分岐部３０ａ及び部品３０ｂを、必要に応じて面４０の外側に引き出したり、光ケーブル３０の各湾曲部及び延在部を多段に積層する際に、分岐部３０ａの一部又は全部を、湾曲部及び延在部と一緒に積層したりすることができる。また、図１に示すように、光ケーブル梱包体２において、光ケーブル４の分岐部５及び部品５ａを、必要に応じて光ケーブル巻回体１の外側に引き出したり、分岐部５の一部又は全部を、光ケーブル巻回体１と一緒に巻回したりすることができる。分岐部の本数は特に限定されるものではなく、例えば配線架などの機器間で光接続を行う場合に適宜設けることができる。
【００２８】
多数本の単位ケーブルから分岐部を有するバンドルを構成する方法としては、例えばバンドルの一端部から他端部までを接続する単位ケーブル、バンドルの一端部から分岐部までを接続する単位ケーブル、ある分岐部から別の分岐部までを接続する単位ケーブル等を、それぞれ長さ方向を揃え、位置合わせした後に単位ケーブルを結束する方法が挙げられる。バンドルの一端部から他端部までの本線部に対し、分岐部を構成する単位ケーブルが同一の方向に布線される場合、例えばすべての単位ケーブルが一端部の側に向かって布線され、他端部の側には向かわない場合には、結束した分岐部を他端部の側に揃えることにより、分岐部と本線部の間で単位ケーブルが伸びた状態になり、過度な屈曲等の負荷を抑制することができる。例えば図７に示す分岐部５２は、各単位ケーブルが左側に向けて布線されるので、同図の左右に延在する本線部に対し、分岐部５２を右側に寄せると、単位ケーブルの折り曲げや折り返しを避けることができる。
分岐部をそれとは逆向きにした場合、例えば図７に示す分岐部５２を左側に曲げて本線部に添わせる場合には、分岐部と本線部の間で単位ケーブルの折り返しが生じる。光ケーブルの許容曲げ半径を確保するため、マンドレル等の湾曲部材を分岐部と本線部の間に挿入することもできる。分岐部を構成する単位ケーブルが、その分岐部から一端部の側に布線されるものと、他端部の側に布線されるものの混合である場合には、当該分岐部を本線の一端側又は他端側のどちらに曲げても単位ケーブルの折り返しが生じるが、この場合にも、折り返される単位ケーブルの内側にマンドレル等を挿入して、許容曲げ半径を確保することが好ましい。
光ケーブルの両端部、中間部、分岐部等に接続対象を文字、数字や記号、色、読み取りコード（code）等により作業者に示すためのタグや表示等を設けることができる。
【００２９】
光ケーブル梱包体２に用いる結束部材３としては、紐、テープ、ラップ、面ファスナー、樹脂フィルム、リング等が挙げられる。粘着力を有しないもの、あるいは粘着力を有しても剥がした後に糊の残留のないものが好ましい。結束部材３による結束は、光ケーブル４の巻回が完了した後に行ってもよいし、必要に応じて、光ケーブル４の巻回の途中で、光ケーブル巻回体１の一部分ができた段階でこれを結束することもできる。
バンドル５０に用いる結束部材５４も、梱包用の結束部材３と同様のものを用いることができる。梱包用の結束部材３は、梱包を解いたときに取り外されるが、バンドル用の結束部材５４は、現地に配線した後も使用に耐える必要があるため、より丈夫なものが好ましい。
【００３０】
結束後の光ケーブル梱包体２を箱等（図９の符号７参照）に収容するとき、形状の崩れを防ぐためには、図８に示すように、底板６の上に載せて運搬することができる。図９に示すように、底板６に設けた穴６ａ，６ｂを通して、光ケーブル巻回体１の光ケーブル４と底板６を同じ結束部材３で結束することにより、底板６を光ケーブル巻回体１に固定することもできる。底板６は、図４や図５等で光ケーブル３０を巻回する際にあらかじめ設置しておくこともできる。例えば図４では第１の湾曲部３１の下に底板６を設置することができる。また、図５では第１の湾曲部３１に添わせて底板６を設けて第１の湾曲部３１と一緒に底板６を移動させるか、最後の湾曲部３７に添わせて底板６を設けて底板６を移動させないようにすることができる。
底板と光ケーブルを一緒に結束する場合は、さらに底板を含めないで光ケーブルのみを結束する結束部材を設けてもよく、また、光ケーブルのみを結束する結束部材を省略することもできる。
光ケーブル梱包体２を箱７に詰める場合は、光ケーブル梱包体２を柔軟な袋に収納してから箱詰めしたり、箱７の内側に緩衝材等（図示せず）で光ケーブル梱包体２との隙間を埋めたりすることができる。
底板６や箱７の寸法は、特に限定されないが、光ケーブルの巻回や梱包を手作業で容易に実施できる大きさとしては、例えば各辺の長さが数十ｃｍ〜１ｍ程度が挙げられる。箱７の高さ方向は、より小さめ（低め）にして、数ｃｍ〜十数ｃｍ程度でもよい。
【００３１】
以上、本発明を好適な実施の形態に基づいて説明してきたが、本発明は上述の形態例に限定されるものではなく、本発明の要旨を逸脱しない範囲で種々の改変が可能である。
光ケーブルの巻回形態としては、図２〜６に示す例では各巻回領域又は単位領域ごとに、延在部で区画される各湾曲部のケーブルがＳ字状（左右に反転したものを含む）に湾曲される形状としたが、Ｕ字状（上下に反転したものを含む）、Ｏ字状、８字状等を混在させることもできる。また、繰り返しの規則を若干不規則にすることもできる。
光ケーブル巻回体の中央部で光ケーブルが交差したケーブル交差部は、図１では１箇所であるが、交差位置をずらして、巻回体外周部の内部で２箇所以上に分散させることもできる。
【符号の説明】
【００３２】
１…光ケーブル巻回体、２…光ケーブル梱包体、３…結束部材、４…光ケーブル、４ａ…巻回体外周部（延在部）、４ｂ…ケーブル交差部、４ｃ…巻回体外周部（合流部）、５…分岐部、５ａ…部品、６…底板、６ａ，６ｂ…穴、７…箱、１０…光ケーブル、１１…第１延在部、１２，１６…第１合流部、１３，１７…中央部、１４，１８…第２合流部、１５…第２延在部、１９…光ケーブル巻回体、１９ａ…ケーブル交差部、２０…巻回領域、２１…第１の辺（長辺）、２２…第２の辺（長辺）、２３…第３の辺（短辺）、２４…第４の辺（短辺）、３０…光ケーブル、３０ａ…分岐部、３０ｂ…部品、３１，３２，３３，３４，３５，３６，３７…光ケーブルを湾曲させた部分（湾曲部）、３１ａ，３２ａ，３３ａ，３４ａ，３５ａ，３６ａ…光ケーブルを延在させた部分（延在部）、４０…一つの面、４１〜４７…第１〜第７の単位領域、５０…バンドル、５１…単位ケーブル、５２…分岐部、５３…部品、５４…結束部材。
【図１】
2013184795.tif 000003
【図２】
2013184795.tif 000004
【図３】
2013184795.tif 000005
【図４】
2013184795.tif 000006
【図５】
2013184795.tif 000007
【図６】
2013184795.tif 000008
【図７】
2013184795.tif 000009
【図８】
2013184795.tif 000010
【図９】
2013184795.tif 000011